(57)【要約】【課題】机の引き出しや段ボール箱の内部に収容されて使用される場合であっても、ファイルボックスの内部に収納されている書類の種類や内容を容易に判別することができ、書類を探す手間を軽減させることのできるファイルボックスを提供する。【解決手段】  本考案は、長方形状の底面の外周縁部からそれぞれ四側面３０，４０，５０，６０が立設されることにより上方が開放された収納空間Ｓが形成されたファイルボックス１０であって、四側面３０，４０，５０，６０のうちの少なくとも一側面４０の上端部に肉厚部４１が形成され、肉厚部４１には、取っ手穴４２が形成されると共に、取っ手穴４２の上方にインデックス部４３が形成され、インデックス部４３は、その上端部を支点に上方に回転可能に設けられていることを特徴とする。【選択図】図３
0003204568.tif 000002
【実用新案登録請求の範囲】
【請求項１】
長方形状の底面の外周縁部からそれぞれ四側面が立設されることにより上方が開放された収納空間が形成されたファイルボックスであって、
前記四側面のうちの少なくとも一側面の上端部に肉厚部が形成され、該肉厚部には、取っ手穴が形成されると共に、該取っ手穴の上方にインデックス部が形成され、該インデックス部は、その上端部を支点に上方に回転可能に設けられていることを特徴とするファイルボックス。
【請求項２】
前記肉厚部は、２枚の板状部材を内外に重合させることで形成され、前記インデックス部は、２枚の板状部材のうちの内側の板状部材に形成され、該インデックス部の下端は前記取っ手穴の上端を形成し、該インデックス部の両側には切り取り可能なミシン目が形成されていることを特徴とする請求項１に記載のファイルボックス。
【請求項３】
前記四側面は、長手方向に沿って互いに平行に形成される前側面及び後側面と、短手方向に沿って互いに平行に形成される左側面及び右側面と、を有し、前記後側面は前記前側面より高く形成され、前記取っ手穴及び前記インデックス部は、前記後側面の上端部に形成されることを特徴とする請求項１又は２に記載のファイルボックス。
【考案の詳細な説明】
【技術分野】
【０００１】
本考案は、一定量の書類をまとめて収容するファイルボックスに関する。
【背景技術】
【０００２】
従来、オフィスや学校等において、書類を収納しておくためにファイルボックスが広く用いられている。この種のファイルボックスには、上方が開放された収納空間が形成されており、この収納空間内に書類を立てた状態で保管しておくことができると共に、書類の出し入れが容易であるという特徴を有している（例えば、特許文献１参照）。
【０００３】
また、従来のこの種のファイルボックスの側面には、ラベルを取り付けたり、文字を記入したりするスペースが設けられており、内部に収納されている書類の種類や内容が分かるようになっている。
【先行技術文献】
【特許文献】
【０００４】
【特許文献１】特開２００５−１４４７３６号公報
【考案の概要】
【考案が解決しようとする課題】
【０００５】
しかしながら、上記した従来のファイルボックスは、机の引き出しや段ボール箱の内部に収容されて使用される場合、ファイルボックスの側面が視認できなくなる虞があり、内部に収納されている書類の種類や内容が分からなくなり、書類を探すのに手間が掛かるといった問題が生じている。
【０００６】
本考案は、上記した課題を解決すべくなされたものであり、机の引き出しや段ボール箱の内部に収容されて使用される場合であっても、ファイルボックスの内部に収納されている書類の種類や内容を容易に判別することができ、書類を探す手間を軽減させることのできるファイルボックスを提供することを目的とする。
【課題を解決するための手段】
【０００７】
本考案に係るファイルボックスは、長方形状の底面の外周縁部からそれぞれ四側面が立設されることにより上方が開放された収納空間が形成されたファイルボックスであって、前記四側面のうちの少なくとも一側面の上端部に肉厚部が形成され、該肉厚部には、取っ手穴が形成されると共に、該取っ手穴の上方にインデックス部が形成され、該インデックス部は、その上端部を支点に上方に回転可能に設けられていることを特徴とする。
【０００８】
この特徴を備えることにより、ファイルボックスの置き場所に応じて、インデックス部を上方に回転させることで、ファイルボックスの内部に収納されていている書類の種類や内容を容易に判別することができ、書類を探す手間を軽減させることができる。
【０００９】
また、本考案に係るファイルボックスにおいて、前記肉厚部は、２枚の板状部材を内外に重合させることで形成され、前記インデックス部は、２枚の板状部材のうちの内側の板状部材に形成され、該インデックス部の下端は前記取っ手穴の上端を形成し、該インデックス部の両側には切り取り可能なミシン目が形成されていることを特徴とする。
【００１０】
この特徴を備えることにより、インデックス部を上方に回転させる操作を簡単に行うことができる。
【００１１】
また、本考案に係るファイルボックスにおいて、前記四側面は、長手方向に沿って互いに平行に形成される前側面及び後側面と、短手方向に沿って互いに平行に形成される左側面及び右側面と、を有し、前記後側面は前記前側面より高く形成され、前記取っ手穴及び前記インデックス部は、前記後側面の上端部に形成されることを特徴とする。
【００１２】
この特徴を備えることにより、インデックス部を前方から視認することもできるため、ファイルボックスの置き場所に応じて、インデックス部を上方に回転させなくても使用することができる。
【考案の効果】
【００１３】
本考案に係るファイルボックスによれば、机の引き出しや段ボール箱の内部に収容されて使用される場合であっても、ファイルボックスの内部に収納されている書類の種類や内容を容易に判別することができ、書類を探す手間を軽減させることのできる等、種々の優れた効果を得ることができる。
【図面の簡単な説明】
【００１４】
【図１】本考案の実施の形態に係るファイルボックスを示す斜視図である。
【図２】本考案の実施の形態に係るファイルボックスの要部を示す斜視図である。
【図３】本考案の実施の形態に係るファイルボックスを示す斜視図である。
【図４】本考案の実施の形態に係るファイルボックスを示す展開図である。
【考案を実施するための形態】
【００１５】
以下、図１乃至図４を参照しつつ、本考案の実施の形態に係るファイルボックス１０について説明する。ここで、図１はファイルボックス１０を示す斜視図、図２はファイルボックス１０の要部を示す斜視図、図３はファイルボックス１０を示す斜視図、図４はファイルボックス１０を示す展開図である。
【００１６】
ファイルボックス１０は、厚紙等の板状部材製であり、上方が開放された箱状に形成され、内部に、例えばＡ４サイズの書類や、該書類を挟み込んだファイルやクリアホルダーを横長姿勢で収納可能な収納空間Ｓを備えている。ファイルボックス１０は、底面２０と、底面２０の外周縁部からそれぞれ立設される前側面３０、後側面４０，右側面５０、左側面６０の四側面と、により構成されている。該四側面のうち、前側面３０と後側面４０は長手方向に沿って互いに平行に形成され、右側面５０と左側面６０は短手方向に沿って互いに平行に形成されている。
【００１７】
底面２０は、平面視で長方形状を有しており、複数の板状部材が上下に重合されて構成されている。
【００１８】
前側面３０は、立面視で長方形状を有しており、上半分には２枚の板状部材を内外に重合して肉厚部３１が形成されている。また、前側面３０には、収納空間Ｓに収納された書類等の情報を記載することができるようになっている。
【００１９】
後側面４０は立面視で長方形状を有しており、前側面３０より高く形成されている。後側面４０の上端部には、２枚の板状部材を内外に重合して肉厚部４１が形成されている。この肉厚部４１には、中央部に横長矩形状の取っ手穴４２が形成され、この取っ手穴４２は、使用者の四指を挿入可能な大きさに形成されている。
【００２０】
肉厚部４１には、取っ手穴４２の上方にインデックス部４３が形成されており、インデックス部４３はその上端部を支点に上方に回転可能に設けられている。インデックス部４３は、取っ手穴４２より僅かに幅の狭い長方形状を有しており、その表面には、収納空間Ｓに収納された書類等の情報を記載することができるようになっている。インデックス部４３は、２枚の板状部材のうちの内側の板状部材に形成され、インデックス部４３の下端は取っ手穴４２の上端を形成し、インデックス部４３の両側にはミシン目４４が切り欠き可能に形成されている。また、前記内側の板状部材の表面には、インデックス部４３に近接した位置にインデックス部４３の使用説明が記載されている。
【００２１】
また、肉厚部４１の外側の板状部材には、取っ手穴４２の上端に沿って形成される折り目７１（図４参照）を介して内側に折曲可能な指掛片４５が形成されている。この指掛片４５により、使用者が取っ手穴４２に四指を挿入してファイルボックス１０を把持する際に、使用者の四指や掌が板状部材の下端面に接触するのを防止することができる。
【００２２】
右側面５０と左側面６０は、それぞれ左右対称形状を有している。右側面５０と左側面６０の各上端には、前側面３０側に下傾する傾斜部５１，６１と、傾斜部５１，６１の頂部と後側面４０の上端との間で水平に延出する水平部５２，６２と、が形成されている。左側面６０の表面には、収納空間Ｓに収納された書類等の情報を記載することができるようになっている。また、左側面６０の下部には、円形状の視認穴６３が開口されており、外方から収納空間Ｓを視認可能となっている。
【００２３】
図４に示されているように、ファイルボックス１０は、型抜きされた一枚のシート７０により組み立てられる。シート７０は、前側面３０の左右にそれぞれ折り目７１を介して連続して形成される右側面５０及び左側面６０と、左側面６０の右側に折り目７１を介して連続して形成される後側面４０と、を備えている。前側面３０、後側面４０，右側面５０、及び左側面６０のそれぞれ下方には折り目７１を介して底面形成片２１，２２，２３，２４が連続して形成されている。右側面５０の左側には折り目７１を介して連結片５４が連続して形成されている。前側面３０の上方には折り目７１を介して上側補強片３２が連続して形成され、後側面４０の上方には折り目７１を介して上端補強片４６が連続して形成されている。
【００２４】
このように構成されたシート７０において、前側面３０、後側面４０，右側面５０、左側面６０、及び連結片５４を、それぞれ、各折り目７１に沿って約９０度折曲させ、連結片５４に後側面４０の右端部に重ね合せて接着させることにより角筒状体が形成される。
【００２５】
また、底面形成片２１，２２，２３，２４を、それぞれ、各折り目７１に沿って約９０度折曲させて重ね合せて接着させることにより底面２０が形成される。
【００２６】
さらに、上側補強片３２を折り目７１に沿って内側に折り返し、前側面３０の上半分に重合させて接着させることにより肉厚部３１が形成される。上端補強片４６を折り目７１に沿って内側に折り返し、後側面４０の上端部に重合させて接着させることにより肉厚部４１が形成される。
【００２７】
このようにして組み立てられたファイルボックス１０を、机の引き出しや段ボール箱の内部に収容して使用する場合、インデックス部４３の下端に指先を引掛けて上方に持ち上げると、ミシン目４４が切り欠かれてインデックス部４３は上端部を支点に上方に回転し、図３に示されているように、インデックス部４３の表面が上方に向いた状態になる。これにより、インデックス部４３に記載された情報を容易に視認することができるようになるため、収納空間Ｓに収納されている書類の種類や内容を判別できるようになり、書類を探す手間や時間を軽減させることができる。
【００２８】
また、ファイルボックス１０を、例えば、書棚に立て掛ける等、ファイルボックス１０の前側面３０や左側面６０が視認できる状態で保管する場合には、図１に示されているようなインデックス部４３を上方に回転させない状態でも、前方からインデックス部１０を視認したり、或いは前側面３０や左側面６０に記載された情報を視認したりすることで、収納空間Ｓに収納されている書類の種類や内容を判別することができる。
【００２９】
なお、上記した本考案の実施の形態の説明は、本考案に係るファイルボックス１０における好適な実施の形態を説明しているため、材質、形状、寸法、構造等において技術的に好ましい種々の限定を付している場合もあるが、本考案の技術範囲は、特に本考案を限定する記載がない限り、これらの態様に限定されるものではない。すなわち、上記した本考案の実施の形態における構成要素は適宜、既存の構成要素等との置き換えが可能であり、且つ、他の既存の構成要素との組合せを含む様々なバリエーションが可能であり、上記した本考案の実施の形態の記載をもって、実用新案登録請求の範囲に記載された考案の内容を限定するものではない。
【符号の説明】
【００３０】
１０    ファイルボックス
２０      底面
３０    前側面
４０    後側面
４１    肉厚部
４２    取っ手部
４３    インデックス部
４４    ミシン目
５０    右側面
６０    左側面
Ｓ      収納空間
【図１】
0003204568.tif 000003
【図２】
0003204568.tif 000004
【図３】
0003204568.tif 000005
【図４】
0003204568.tif 000006